(57)【要約】【課題】内視鏡のコネクタ部に設けられるポートの数を減少させた内視鏡を提供する。【解決手段】体腔内に挿入される挿入部と，前記挿入部に接続された操作部と，外部機器が接続されるコネクタ部と，前記操作部とコネクタ部を連結するコード部とを備えた内視鏡において，前記コネクタ部５に，外部機器を接続するためのポート１６を備え，前記ポート１６に取り付けられて，外部機器をコネクタ部５に接続するためのアダプタ１８に，処理流体供給用ポート２６を設け，前記アダプタ１８においてポート１６に接続される接続面４２に，処理流体供給用ポート２６に連通する流通路７６を開口させた【選択図】  図２
2006042874.tif 000002
【特許請求の範囲】
【請求項１】
体腔内に挿入される挿入部と，前記挿入部に接続された操作部と，外部機器が接続されるコネクタ部と，前記操作部とコネクタ部を連結するコード部とを備えた内視鏡であって，
前記コネクタ部に，外部機器を接続するためのポートを備え，
前記ポートに取り付けられて，外部機器をコネクタ部に接続するためのアダプタに，処理流体供給用ポートを設け，
前記アダプタにおいてポートに接続される接続面に，処理流体供給用ポートに連通する処理流体流通路を開口させたことを特徴とする，内視鏡。
【請求項２】
前記挿入部，操作部，コード部及びコネクタ部に，処理流体供給路を通して設け，
前記処理流体供給路の基端を，前記外部機器を接続するためのポートに開口させ，
前記アダプタをポートに取り付けた際に，前記処理流体流通路の開口が前記処理流体供給路の基端に連通することを特徴とする，請求項１に記載の内視鏡。
【請求項３】
前記外部機器は，前記挿入部の先端部を洗浄するための洗浄流体を供給する洗浄流体供給源であることを特徴とする，請求項１又は２に記載の内視鏡。
【請求項４】
前記ポートにおいてアダプタに接続される接続面にパッキンを備え，
処理流体供給路の基端を備えないポートに前記アダプタを取り付けた際に，前記パッキンによって，前記処理流体流通路の開口が閉塞されることを特徴とする，請求項３に記載の内視鏡。
【請求項５】
前記洗浄流体は洗浄液と気体とを含み，
前記ポートは，挿入部の先端部に洗浄液を供給する洗浄液供給路の基端と，挿入部の先端部に気体を供給する気体供給路の基端と，アダプタ側に加圧気体を供給する加圧気体送気路の先端とが開口された送気・送水ポートであって，
前記アダプタの接続面に連通溝を形成し，
前記連通溝に，前記気体を流通させる気体流通路を開口させ，
前記アダプタをポートに取り付けた際に，前記連通溝と前記ポートの接続面との間に空間が形成され，該空間を介して，前記気体供給路及び／又は前記加圧気体送気路と前記気体流通路とが互いに連通される構成としたことを特徴とする，請求項３又は４に記載の内視鏡。
【請求項６】
前記気体流通路を２以上設け，
前記連通溝は，前記２以上の気体流通路の各開口に渡って設けられたことを特徴とする，請求項５に記載の内視鏡。
【請求項７】
前記アダプタの接続面の中央部に，前記洗浄液を流通させる洗浄液流通路を開口させ，
前記洗浄液流通路の開口の周囲を囲むように，前記連通溝を略Ｃ字形状に形成し，
前記連通溝が形成されていない位置に，前記処理流体流通路を開口させたことを特徴とする，請求項５又は６に記載の内視鏡。
【請求項８】
前記処理流体供給路の基端を，前記ポートの接続面から突出させ，
前記処理流体供給路の基端が前記処理流体流通路の開口に挿入されて連通する構成とし，
前記連通溝と前記ポートの接続面との間に形成された空間の高さは，前記処理流体供給路において前記ポートの接続面から突出させた部分の高さより低いことを特徴とする，請求項５，６又は７に記載の内視鏡。
【請求項９】
前記外部機器は，前記挿入部の先端部から吸引を行うための吸引装置であることを特徴とする，請求項１に記載の内視鏡の管路構造。
【請求項１０】
前記外部機器は，高周波処置具の電源であることを特徴とする，請求項１に記載の内視鏡。
【請求項１１】
前記外部機器は，光源であることを特徴とする，請求項１に記載の内視鏡。
【請求項１２】
前記外部機器は，撮像信号処理装置であることを特徴とする，請求項１に記載の内視鏡。
【請求項１３】
前記処理流体供給用ポートに，処理流体供給源から供給された処理流体の逆流を防止する逆止弁を備えることを特徴とする，請求項１〜１２のいずれかに記載の内視鏡。
【発明の詳細な説明】
【技術分野】
【０００１】
本発明は，挿入部の先端部から体腔内に処理流体を供給する供給路を備えた内視鏡に関するものである。
【背景技術】
【０００２】
一般に，医療用の内視鏡は，患者の体腔内に挿入される細長い挿入部を備えており，挿入部の先端部には，撮像窓や照明窓が設けられている。また，挿入部の先端部には，撮像窓に向かって洗浄用流体を噴射する洗浄流体供給口，体腔内に向かって様々な処理流体を噴射する処理流体供給口等も設けられている。そして，撮像窓が汚染されたときは，洗浄流体供給口から撮像窓に洗浄液を噴射し，次いで，洗浄流体供給口からエアを供給して，撮像窓から液滴を除去するようになっている。また，処理流体供給口から，体腔内の付着物を除去するため液体を供給したり，体腔内に色素剤等を散布したりするようになっている。
【０００３】
内視鏡の挿入部の基端は，操作部に接続されており，操作部には，コード部を介してコネクタ部が接続されている。挿入部，操作部，コード部，及びコネクタ部には，撮像窓に備えた撮像手段に接続された信号ケーブル，照明窓に備えた照明手段に接続されたライトガイド（ＬＧ），洗浄流体供給口に接続された洗浄流体供給路等が挿通されている。コネクタ部には，各種の外部機器を内視鏡に接続するためのポートが設けられている。例えば，ビデオプロセッサのケーブルを信号ケーブルに接続するための電気ポート，光源装置をライトガイドに接続するためのＬＧポート，洗浄液供給源に接続された洗浄液送液チューブを洗浄流体供給路に接続するための送気・送液ポート等がコネクタ部に設けられている。
【０００４】
一方，従来の内視鏡にあっては，処理流体送液路は，挿入部から操作部までを挿通するように設けられ，処理流体供給源に接続された処理流体送液チューブを処理流体供給路に接続するための処理流体用ポートは，操作部に設けられていた。しかし，このように処理流体用ポートが操作部に設けられていると，内視鏡の操作を行う際，処理流体送液チューブが邪魔になる問題を生じていた。そこで，近年では，ジェット送液装置の開発等が行われ，処理流体供給路をコード部まで延長し，処理流体送液ポートをコネクタ部に取り付けたものが開発されている（例えば，特許文献１参照。）。
【０００５】
【特許文献１】特開２００１−６１７７８号公報
【０００６】
しかしながら，コネクタ部には各種のポートが突設されているので，コネクタ部に処理流体送液ポートを設けると，ポートの数がさらに多くなり，コネクタ部の突起が多くなるため，コネクタ部の清浄性を悪くさせる問題があった。また，各ポートに外部機器を接続するときや，各ポートから外部機器を取り外すときに，作業性を悪くさせる問題があった。
【発明の開示】
【発明が解決しようとする課題】
【０００７】
本発明の目的は，内視鏡のコネクタ部に設けられるポートの数を減少させた内視鏡を提供することにある。
【課題を解決するための手段】
【０００８】
上記課題を解決するために，本発明によれば，体腔内に挿入される挿入部と，前記挿入部に接続された操作部と，外部機器が接続されるコネクタ部と，前記操作部とコネクタ部を連結するコード部とを備えた内視鏡であって，前記コネクタ部に，外部機器を接続するためのポートを備え，前記ポートに取り付けられて，外部機器をコネクタ部に接続するためのアダプタに，処理流体供給用ポートを設け，前記アダプタにおいてポートに接続される接続面に，処理流体供給用ポートに連通する処理流体流通路を開口させたことを特徴とする，内視鏡が提供される。ここで，処理流体とは，例えば，体腔内の付着物を除去するための液体や，体腔内に散布する色素剤等である。
【０００９】
この内視鏡にあっては，前記挿入部，操作部，コード部及びコネクタ部に，処理流体供給路を通して設け，前記処理流体供給路の基端を，前記外部機器を接続するためのポートに開口させ，前記アダプタをポートに取り付けた際に，前記処理流体流通路の開口が前記処理流体供給路の基端に連通することとしても良い。
【００１０】
前記外部機器は，前記挿入部の先端部を洗浄するための洗浄流体を供給する洗浄流体供給源であっても良い。そして，前記ポートにおいてアダプタに接続される接続面にパッキンを備え，処理流体供給路の基端を備えないポートに前記アダプタを取り付けた際に，前記パッキンによって，前記処理流体流通路の開口が閉塞されることとしても良い。
【００１１】
また，前記洗浄流体は洗浄液と気体とを含み，前記ポートは，挿入部の先端部に洗浄液を供給する洗浄液供給路の基端と，挿入部の先端部に気体を供給する気体供給路の基端と，アダプタ側に加圧気体を供給する加圧気体送気路の先端とが開口された送気・送水ポートであって，前記アダプタの接続面に連通溝を形成し，前記連通溝に，前記気体を流通させる気体流通路を開口させ，前記アダプタをポートに取り付けた際に，前記連通溝と前記ポートの接続面との間に空間が形成され，該空間を介して，前記気体供給路及び／又は前記加圧気体送気路と前記気体流通路とが互いに連通される構成としても良い。さらに，前記気体流通路を２以上設け，前記連通溝は，前記２以上の気体流通路の各開口に渡って設けられたこととしても良い。さらにまた，前記アダプタの接続面の中央部に，前記洗浄液を流通させる洗浄液流通路を開口させ，前記洗浄液流通路の開口の周囲を囲むように，前記連通溝を略Ｃ字形状に形成し，前記連通溝が形成されていない位置に，前記処理流体流通路を開口させたこととしても良い。
【００１２】
前記処理流体供給路の基端を，前記ポートの接続面から突出させ，前記処理流体供給路の基端が前記処理流体流通路の開口に挿入されて連通する構成とし，前記連通溝と前記ポートの接続面との間に形成された空間の高さは，前記処理流体供給路において前記ポートの接続面から突出させた部分の高さより低いこととしても良い。
【００１３】
また，前記外部機器は，前記挿入部の先端部から吸引を行うための吸引装置であっても良い。前記外部機器は，高周波処置具の電源であっても良い。前記外部機器は，光源であっても良い。前記外部機器は，撮像信号処理装置であっても良い。
【００１４】
前記処理流体供給用ポートには，処理流体供給源から供給された処理流体の逆流を防止する逆止弁を備えても良い。
【発明の効果】
【００１５】
本発明によれば，外部機器をコネクタ部のポートに接続するためのアダプタに，処理流体供給用ポートを設けたことにより，コネクタ部に設けられるポートの数を減少させることができる。従って，コネクタ部の突起が少なくなるので，コネクタ部の清浄性を向上させることができる。また，コネクタ部の各ポートに外部機器を接続するときや，コネクタ部の各ポートから外部機器を取り外すときに，ポートが邪魔にならないので，作業性を向上させることができる。さらに，処理流体供給路の基端を，外部機器を接続するためのポートに開口させ，アダプタの流通路の開口が前記処理流体供給路の基端に連通する構成としたことにより，アダプタをポートに取り付けた際に，外部機器をポートに接続すると同時に，処理流体供給源を処理流体供給路に接続することができる。従って，コネクタ部に外部機器と処理流体供給源を接続する作業や，コネクタ部から外部機器と処理流体供給源を取り外す作業を簡単にすることができる。
【発明を実施するための最良の形態】
【００１６】
以下，本発明の実施の形態を，図面を参照しながら説明する。図１に示すように，本発明にかかる内視鏡１は，体腔内に挿入される可撓性を有する細長い挿入部２と，挿入部２の基端に接続された操作部３と，操作部３から引出され可撓性を有するコード部４と，各種の外部装置のケーブル，チューブ類等が接続されるコネクタ部５とを備えている。コネクタ部５はコード部４の基端に接続されており，コード部４を介して，操作部３とコネクタ部５が連結された構成となっている。
【００１７】
また，図示はしないが，挿入部２の先端部には，観察対象物を照明する照明光を照射するための照明窓と，観察対象物からの反射光を取入れる撮像窓とが設けられている。また，挿入部２の先端部内には，照明窓に接続された光伝送路と，撮像窓に接続され，撮像素子等を備えた観察光学系とが内蔵されている。さらに，挿入部２の先端部には，撮像窓に向かって洗浄用流体として洗浄液とエアなどの気体とを噴射する洗浄流体供給口と，体腔内に向かって液体や色素等の様々な処理流体を噴射する処理流体供給口と，体腔内の液体等を吸引する吸引口とが設けられている。
【００１８】
これらのうち，挿入部２の先端部に設けられた洗浄流体供給口には，洗浄流体を供給する洗浄流体供給路７が接続されている。洗浄流体供給路７は挿入部２内に挿通されており，挿入部２内において，洗浄液を供給する洗浄液供給路８と，洗浄用の気体としてエアを供給するエア供給路９とに接続されている。洗浄液供給路８とエア供給路９は，それぞれコネクタ部５，コード部４，操作部３，挿入部２内に順に通して設けられ，挿入部２内の途中で合流して，洗浄流体供給路７の端部に接続されている。
【００１９】
挿入部２の先端部に設けられた処理流体供給口には，処理流体を供給する処理流体供給路１０が接続されている。処理流体供給路１０は，コネクタ部５，コード部４，操作部３，挿入部２内に順に通して設けられている。
【００２０】
なお，図示はしないが，挿入部２の先端部に設けた光伝送路には，照明光を供給するためのライトガイドが接続されている。観察光学系には，信号ケーブルが接続されている。吸引口には，吸引路が接続されている。これらライトガイド，信号ケーブル，及び吸引路も，コネクタ部５，コード部４，操作部３，挿入部２内に順に通して設けられている。
【００２１】
操作部３には，洗浄液供給路８とエア供給路９の開閉を切り換え操作する切換機構１１が設けられている。洗浄液供給路８とエア供給路９のいずれか一方が切換機構１１によって遮断されているときは，他方が連通されるようになっている。
【００２２】
コネクタ部５の側面には，外部機器かつ洗浄流体供給源としての洗浄液タンク１５を接続するための送気・送液ポート１６が突設されている。送気・送液ポート１６には，前述した洗浄液供給路８の基端が内設されている。洗浄液タンク１５には洗浄流体送液チューブ１７が接続されており，この洗浄流体送液チューブ１７の先端が，アダプタ１８によって送気・送液ポート１６に接続される。即ち，洗浄流体送液チューブ１７，アダプタ１８を介して洗浄液タンク１５が内視鏡１内の洗浄液供給路８に接続されるようになっている。
【００２３】
洗浄流体送液チューブ１７は，エアを送気するエア送気路１９の内側に，洗浄液を送液する洗浄液送液路２０を挿通させた二重管状になっている。洗浄液タンク１５内には，洗浄液が貯留されており，洗浄流体送液チューブ１７内の洗浄液送液路２０の端部は，洗浄液タンク１５内の洗浄液中に浸漬されている。一方，エア送気路１９の端部は，洗浄液タンク１５内の洗浄液上方の空間に開口している。
【００２４】
さらに，送気・送液ポート１６には，前述したエア供給路９の基端が内設されている。また，送気・送液ポート１６には，エアポンプ２１に接続されアダプタ１８側にエアを送気する加圧エア送気路２２の基端が内設されている。この加圧エア送気路２２は，コネクタ部５内に配設され，さらにコネクタ部５の外側に延設されてエアポンプ２１に接続されている。そして，加圧エア送気路２２，アダプタ１８を介して，エアポンプ２１がエア供給路９に接続されるとともに，加圧エア送気路２２，アダプタ１８，洗浄流体送液チューブ１７を介して，エアポンプ２１が洗浄液タンク１５に接続されるようになっている。
【００２５】
洗浄液タンク１５とエアポンプ２１を送気・送液ポート１６に接続した状態において，操作部３に備えた切換機構１１の操作により，洗浄液供給路８を連通させ，かつ，エア供給路９を遮断させた状態に切り換え，この状態でエアポンプ２１を駆動させると，加圧エア送気路２２，アダプタ１８，及び，洗浄流体送液チューブ１７のエア送気路１９内のエアを介して，洗浄液タンク１５内の洗浄液上方の空間が加圧される。すると，洗浄液タンク１５内の洗浄液が押されて洗浄液送液路２０内に流入し，洗浄液送液路２０，アダプタ１８，洗浄液供給路８，洗浄流体供給路７を通じて洗浄液が送液され，挿入部２の先端部の洗浄流体供給口から撮像窓に向かって，洗浄液が噴射される。一方，切換機構１１の操作により，エア供給路９を連通させ，かつ，洗浄液供給路８を遮断させた状態に切り換え，この状態でエアポンプ２１を駆動させると，加圧エア送気路２２，アダプタ１８，エア供給路９，洗浄流体供給路７を通じてエアが送気され，挿入部２の先端部の洗浄流体供給口から撮像窓に向かって，エアが噴射されるようになっている。
【００２６】
また，送気・送液ポート１６には，前述した処理流体供給路１０の基端が内設されている。アダプタ１８には，処理流体供給源２５を接続するための処理流体供給用ポート２６が設けられている。処理流体供給源２５には，処理流体送液チューブ２７が接続されており，この処理流体送液チューブ２７の先端が，アダプタ１８の処理流体供給用ポート２６に装着される。即ち，処理流体送液チューブ２７とアダプタ１８を介して，送気・送液ポート１６に処理流体供給源２５が接続される構成となっており，処理流体送液チューブ２７，アダプタ１８，処理流体供給路１０を通じて処理流体が送液され，挿入部２の先端部の処理流体供給口から体腔内に向かって，処理流体が噴射されるようになっている。このように，処理流体供給用ポート２６をコネクタ部５ではなくアダプタ１８に設けることにより，コネクタ部５に突設されるポートの数を少なくすることができる。なお，アダプタ１８の構造については，後に詳細に説明する。
【００２７】
コネクタ部５の側面には，上述した送気・送液ポート１６の他，外部機器としての図示しないビデオプロセッサ等の撮像信号処理装置を接続するための電気ポート３０と，外部機器としての図示しない吸引装置を接続するための吸引ポート３１と，外部機器としての図示しない高周波処置具の電源をリード線を介して接続するための高周波ポート３２と，内視鏡１の内部の雰囲気を外部と連通させるための通気ポート３３とが突設されている。また，コネクタ部５の先端には，外部機器としての光源装置３４を接続するためのＬＧポート３５が設けられている。
【００２８】
電気ポート３０には，前述した信号ケーブルの基端が内設されている。また，図示しない撮像信号処理装置にはケーブルが接続されており，このケーブルの先端が電気ポート３０に接続される。即ち，ケーブルを介して撮像信号処理装置が内視鏡１内の信号ケーブルに接続され，これにより，撮像信号が観察光学系からビデオプロセッサ等に送信されて処理され，撮像がモニター等に表示されるようになっている。
【００２９】
吸引ポート３１には，前述した吸引路の基端が内設されている。また，図示しない吸引装置には吸引チューブが接続されており，この吸引チューブの先端が吸引ポート３１に接続される。即ち，吸引チューブを介して，内視鏡１内の吸引路に吸引装置が接続され，先端部の吸引口から吸引を行うことができるようになっている。
【００３０】
高周波ポート３２には，高周波処置具を挿入部２内に通して使用する際に，高周波処置具の電源に接続されたリード線が接続される。これにより，内視鏡1で発生した漏れ電流を高周波ポート３２，リード線を介して電源に逃がすことができるようになっている。
【００３１】
ＬＧポート３５には，ライトガイドの基端が内設されている。光源装置３４をＬＧポート３５に接続すると，内視鏡１内に配設されたライトガイドに光源装置３４が接続され，光源装置３４から供給された照明光が先端部の照明窓から照射されるようになっている。
【００３２】
次に，アダプタ１８の構造について詳細に説明する。図２は，送気・送液ポート１６，洗浄液タンク１５を送気・送液ポート１６に接続するためのアダプタ１８，及び，洗浄流体送液チューブ１７の端部の縦断面図を示している。図３は，図２におけるＡ−Ａ線による送気・送液ポート１６及びアダプタ１８の横断面図である。
【００３３】
図２に示すように，アダプタ１８は，送気・送液ポート１６の略円形の接続面４１にアダプタ１８の略円形の接続面４２を密着させた状態で，送気・送液ポート１６に取り付けられる。送気・送液ポート１６の接続面４１には，パッキン５２が備えられており，パッキン５２の表面がアダプタ１８に接続される接続面４１となっている。
【００３４】
送気・送液ポート１６の接続面４１の中央部には，洗浄液供給路８の基端が開口されている。また，洗浄液供給路８の開口の周囲に，エア供給路９の基端と，加圧エア送気路２２の先端，処理流体供給路１０の基端が開口している。
【００３５】
図４に示すように，パッキン５２には，４個の孔５３，５４，５５，５６が設けられており，各孔５３，５４，５５，５６内に，洗浄液供給路８の基端，エア供給路９の基端，加圧エア送気路２２の先端，処理流体供給路１０の基端がそれぞれ嵌合されるようになっている。パッキン５２の材質としては，ゴムなどの弾性体を用いると良く，例えばシリコンゴム（例えば信越化学工業株式会社製のＫＥ１０８，ＫＥ６６，ＫＥ１１９など）を用いると良い。
【００３６】
図２に示すように，アダプタ１８は，アダプタ本体６０と，アダプタ本体６０と洗浄流体送液チューブ１７の端部とを結合させる内側筒状部材６１と，洗浄流体送液チューブ１７を囲む外側筒状部材６２と，アダプタ本体６０を送気・送液ポート１６に固定するためのアダプタ固定部材６３とによって構成されている。
【００３７】
アダプタ本体６０の一端面は，送気・送液ポート１６の接続面４１に接続される接続面４２となっている。アダプタ本体６０の接続面４２には，パッキン５２が密着されるようになっている。一方，アダプタ本体６０の接続面４２に対して反対側の他端面６６には，筒部６７が形成されている。筒部６７の内面には，内側筒状部材６１の外面を固定するためのネジ溝６８が形成されている。アダプタ本体６０の周面には，処理流体供給用ポート２６が突設されている。
【００３８】
アダプタ本体６０の中央部には，洗浄液を流通させる洗浄液流通路７１が形成されている。洗浄液流通路７１の一端は，アダプタ本体６０の接続面４２側に設けられており，洗浄液流通路７１の他端は，アダプタ本体６０の他端面６６側に設けられている。
【００３９】
さらに，洗浄液流通路７１の外側に，エアを流通させるための２個のエア流通路７５Ａ，７５Ｂが形成されている。エア流通路７５Ａ，７５Ｂの一端は，アダプタ本体６０の接続面４２に開口しており，エア流通路７５Ａ，７５Ｂの他端は，アダプタ本体６０の他端面６６において，筒部６７の内側に開口している。
【００４０】
また，アダプタ本体６０には，処理流体供給用ポート２６に連通して処理流体を流通させる処理流体流通路７６が形成されている。処理流体流通路７６の一端は，アダプタ本体６０の接続面４２に開口している。処理流体流通路７６の他端は，処理流体供給用ポート２６の端面に開口している。前述した処理流体送液チューブ２７は，処理流体供給用ポート２６内の処理流体流通路７６に連通されるようになっている。
【００４１】
アダプタ本体６０の接続面４２を送気・送液ポート１６の接続面４１に連結させた状態では，洗浄液流通路７１の開口は，洗浄液供給路８の基端に連通し，エア流通路７５Ｂは，エア供給路９の基端に連通し，エア流通路７５Ａは，加圧エア送気路２２の先端に連通するようになっている。処理流体流通路７６の開口は，処理流体供給路１０の基端に連通するようになっている。また，アダプタ本体６０と内側筒状部材６１とを連結させた状態では，エア流通路７５Ａ，７５Ｂが内側筒状部材６１の内部空間と連通するようになっている。
【００４２】
内側筒状部材６１の外周面には，筒部６７の内面に形成されたネジ溝６８に嵌合させるためのネジ溝７７と，外側筒状部材６２を固定するためのネジ溝７８が形成されている。また，内側筒状部材６１の端部には，アダプタ本体６０側より小径の筒部７９が形成されており，この筒部７９を，洗浄流体送液チューブ１７の端部に挿入するようになっている。
【００４３】
アダプタ１８に洗浄流体送液チューブ１７を接続するときは，アダプタ１８の外側筒状部材６２の開口端から洗浄流体送液チューブ１７を挿入して，さらに，洗浄流体送液チューブ１７のエア送気路１９内に内側筒状部材６１の筒部７９を挿入して，筒部７９の外面をエア送気路１９の内面に密着させるように結合させる。こうして，アダプタ１８を洗浄流体送液チューブ１７の端部に固定するようになっている。また，エア送気路１９内の洗浄液送液路２０は，筒部７９の内側に挿入され，アダプタ本体６０の洗浄液流通路７１に連結されるようになっている。筒部７９の内面と洗浄液送液路２０の外面との間には筒状の隙間が形成され，エア送気路１９とアダプタ本体６０のエア流通路７５Ａ，７５Ｂとの間でエアが流通できるようになっている。
【００４４】
そして，図１に示した洗浄液タンク１５から洗浄液供給路８に向かって洗浄液が送液されるときは，エアポンプ２１の駆動により，加圧エア送気路２２内のエアが加圧され，さらにアダプタ本体６０内のエア流通路７５Ａ，内側筒状部材６１内，及び，洗浄流体送液チューブ１７のエア送気路１９内のエアを介して，洗浄液タンク１５内の洗浄液上方の空間が加圧されることにより，洗浄液タンク１５内の洗浄液が押されて，洗浄液送液路２０内に洗浄液が流入し，洗浄液送液路２０，アダプタ本体６０内の洗浄液流通路７１を通じて，洗浄液供給路８に洗浄液が送液されるようになっている。一方，図１に示したエアポンプ２１からエア供給路９に向かってエアが送気されるときは，エアポンプ２１の駆動により，加圧エア送気路２２内のエアが加圧され，アダプタ１８内のエア流通路７５Ａ，内側筒状部材６１内，エア流通路７５Ｂを通じて，エア供給路９にエアが送気されるようになっている。
【００４５】
図２に示すように，外側筒状部材６２は，洗浄流体送液チューブ１７を囲むように備えられている。また，外側筒状部材６２の内周面には，内側筒状部材６１の外周面に形成されたネジ溝７８に螺合させるネジ溝８０が形成されている。また，外側筒状部材６２の外周面から周囲に突出するように，突起８１が形成されており，突起８１よりアダプタ本体６０側の外周面とアダプタ固定部材６３の内周面との間には，筒状の空間８２が形成され，空間８２にはバネ８５が備えられている。
【００４６】
アダプタ固定部材６３は，外側筒状部材６２の外周とアダプタ本体６０の外周とを囲むように備えられている。アダプタ固定部材６３の内周面には，環状板８６が形成されており，外側筒状部材６２における突起８１よりアダプタ本体６０側の外周面を囲むように備えられている。バネ８５の一端は，アダプタ本体６０の他端面６６において，円筒部６７より外周側に接しており，バネ８５の他端は，環状板８６に接している。
【００４７】
図２に示すように，アダプタ１８は，アダプタ本体６０に形成されたネジ溝６８と内側筒状部材６１に形成されたネジ溝７７とを螺合させ，内側筒状部材６１に形成されたネジ溝７８と外側筒状部材６２に形成されたネジ溝８０とを螺合させ，外側筒状部材６２とアダプタ本体６０とを囲むようにアダプタ固定部材６３を備えることにより，一体的に組み立てることができる。
【００４８】
図５に示すように，アダプタ固定部材６３の端部には，Ｌ字状の溝９１が形成されている。この溝９１は，図５において手前側と後側の２箇所に形成されている。各溝９１の端部は，アダプタ固定部材６３の縁部に開口されている。一方，図３に示したように，送気・送液ポート１６の外周面には，２個の突起９２が形成されている。各溝９１には，この送気・送液ポート１６の突起９２がそれぞれ挿入されるようになっている。さらに，アダプタ固定部材６３には，処理流体供給用ポート２６をアダプタ固定部材６３の外側に突出させるため，Ｌ字状の溝９３が形成されている。また，各溝９１，９３において，アダプタ固定部材６３の周方向に形成された部分は，アダプタ固定部材６３の軸方向に形成された部分に対して，互いに同じ方向に曲がるように形成されている。
【００４９】
アダプタ１８を送気・送液ポート１６に固定する際は，アダプタ本体６０を送気・送液ポート１６に嵌合させた後，アダプタ固定部材６３を送気・送液ポート１６側に向かって移動させ，アダプタ固定部材６３の縁部から各溝９１の軸方向に突起９２を進入させ，次いで，アダプタ固定部材６３を周方向に回転させ，各溝９１においてアダプタ固定部材６３の周方向に沿って形成された部分に，突起９２を進入させる。このように溝９１に突起９２を嵌合させた状態では，バネ８５が圧縮され，アダプタ本体６０の他端面６６に，バネ８５の弾性力が働き，アダプタ本体６０が送気・送液ポート１６に向かって押し付けられる。また，環状板８６にバネ８５の弾性力が働き，アダプタ固定部材６３をアダプタ本体６０から離隔させる向きに力が働くので，突起９２に溝９１の縁部が当接して，アダプタ固定部材６３が送気・送液ポート１６に対して確実に固定される。こうして，アダプタ本体６０，アダプタ固定部材６３が送気・送液ポート１６に対して確実に固定されるようになっている。また，溝９１に突起９２を嵌合させる際，処理流体供給用ポート２６は，アダプタ固定部材６３に形成された溝９３内を移動するので，アダプタ固定部材６３を移動及び回転させる際，処理流体供給用ポート２６が邪魔になることはない。このようにして，アダプタ１８を送気・送液ポート１６に簡単に取り付けることができる。また，アダプタ１８に浄流体送液チューブ３４と処理流体送液チューブ２７とを予め取り付けておけば，アダプタ１８を送気・送液ポート１６に取り付けることにより，浄流体送液チューブ３４と処理流体送液チューブ２７を送気・送液ポート１６に同時に接続することができる。従って，浄流体送液チューブ３４と処理流体送液チューブ２７を接続する作業を簡単にすることができる。
【００５０】
次に，本実施の形態にかかる管路構造を有する内視鏡１の操作について説明する。例えば，挿入部２の先端部から処理流体を噴射して，体腔内壁における付着物を除去する際は，処理流体供給源２５から処理流体を送液する。処理流体供給源２５から供給された処理流体は，処理流体送液チューブ２７，アダプタ１８内の処理流体流通路７６，処理流体供給路１０を通じて，挿入部２の先端部に備えた処理流体供給口から体腔内に向かって噴射される。こうして，処理流体によって体腔内壁の付着物を除去することができる。
【００５１】
挿入部２の先端部に設けた撮像窓が汚染されたときは，先ず，挿入部２の先端部に備えた洗浄流体供給口から洗浄液を噴射させる。術者は，操作部３の切換機構１１を操作して，洗浄液供給路８を連通させ，かつ，エア供給路９を遮断させた状態に切り換える。すると，エアポンプ２１の駆動により，加圧エア送気路２２，アダプタ１８内のエア流通路７５Ａ，内側筒状部材６１内，及び，流体送液チューブ３４のエア送気路１９内のエアを介して，洗浄液タンク１５内の洗浄液上方の空間が加圧される。これにより，洗浄液タンク１５内の洗浄液が加圧され，洗浄液送液路２０，アダプタ１８内の洗浄液流通路７１，洗浄液供給路８を通じて，洗浄流体供給口から洗浄液が噴射される。こうして，撮像窓を洗浄液によって洗浄することができる。
【００５２】
洗浄液による撮像窓の洗浄が終了したら，操作部３の切換機構１１を操作して，エア供給路９を連通させ，かつ，洗浄液供給路８を遮断させた状態に切り換える。すると，エアポンプ２１の駆動により，加圧エア送気路２２，アダプタ１８内のエア流通路７５Ａ，内側筒状部材６１内，エア流通路７５Ｂ，エア供給路９を通じて，洗浄流体供給口からエアが噴射される。こうしてエアを噴射させることにより，撮像窓に付着した液滴が除去される。
【００５３】
かかる内視鏡１によれば，洗浄液タンク１５をコネクタ部５の送気・送液ポート１６に接続するためのアダプタ１８に，処理流体供給用ポート２６を設けたことにより，コネクタ部５に設けられるポートの数を減少させることができる。従って，コネクタ部５の突起が少なくなるので，コネクタ部５の清浄性を向上させることができる。
【００５４】
また，コネクタ部５の突起が少なくなることにより，コネクタ部５の電気ポート３０，吸引ポート３１，高周波ポート３２，ＬＧポート３５にそれぞれ外部機器としての撮像信号処理装置，吸引装置，高周波処置具の電源，光源装置３４を接続するときや，各電気ポート３０，吸引ポート３１，高周波ポート３２，ＬＧポート３５からそれぞれ撮像信号処理装置，吸引装置，高周波処置具の電源，光源装置３４を取り外すときの作業性を向上させることができる。送気・送液ポート１６からアダプタ１８を取り外しておけば，処理流体供給用ポート２６が邪魔にならず，作業性が良好になる。
【００５５】
さらに，処理流体供給路１０の基端を送気・送液ポート１６に開口させ，アダプタ１８を送気・送液ポート１６に取り付けた際に，アダプタ１８の処理流体流通路７６の開口が処理流体供給路１０の基端に連通する構成としたことにより，アダプタ１８を送気・送液ポート１６に取り付けることで，洗浄液タンク１５を送気・送液ポート１６に設けた洗浄液供給路８，エア供給路９，及び，加圧エア送気路２２に接続すると同時に，処理流体供給源２５を処理流体供給路１０に接続することができる。従って，コネクタ部５に洗浄液タンク１５と処理流体供給源２５を接続する作業や，コネクタ部５から洗浄液タンク１５と処理流体供給源２５を取り外す作業を，一度に簡単に行うことができる。
【００５６】
以上，本発明の実施の形態の一例を説明したが，本発明はかかるものに限定されない。例えば，本実施の形態においては，コネクタ部５の送気・送液ポート１６に洗浄液タンク１５を接続するためのアダプタ１８に，処理流体供給用ポート２６を設けることとしたが，処理流体供給用ポート２６を設けるアダプタはかかるものに限定されず，他の種々の外部機器を接続するためのポートに取り付けるアダプタに設けても良い。例えば，コネクタ部５の電気ポート３０に撮像信号処理装置を接続するためのアダプタ，吸引ポート３１に吸引装置を接続するためのアダプタ，高周波ポート３２に高周波処置具の電源を接続するためのアダプタ，又は，ＬＧポート３５に光源装置３４を取り付けるためのアダプタなどに，処理流体供給用ポート２６を設けるようにしても良い。この場合も，コネクタ部５のポートの個数を減少させることができ，コネクタ部５の清浄性が良好になる。また，この場合，実施の形態に示したアダプタ１８において，洗浄液流通路７１，エア流通路７５Ａ，７５Ｂに代えて，各外部機器の接続手段を設ければ良い。このようなアダプタをポートに取り付けることにより，外部機器をポートに接続すると同時に，処理流体供給源２５を処理流体供給路１０に接続することができる。例えば，ＬＧポート３５に処理流体供給路１０を設ける場合は，アダプタに処理流体流通路７６とライトガイドを内設すれば良い。電気ポート３０に処理流体供給路１０を設ける場合は，アダプタに処理流体流通路７６とケーブルを内設すれば良い。吸引ポート３１に処理流体供給路１０を設ける場合は，アダプタに処理流体流通路７６と吸引用流路を内設すれば良い。高周波ポート３２に処理流体供給路１０を設ける場合は，アダプタに処理流体流通路７６と導線を内設すれば良い。なお，ＬＧポート３５，電気ポート３０，高周波ポート３２に処理流体供給路１０を設けるようにすると，洗浄液供給路８やエア供給路９中の洗浄液やエアに処理流体が混入する可能性や，処理流体供給路１０中の処理流体に洗浄液やエアが混入する可能性を低くすることができる。
【００５７】
図６に示すように，処理流体供給用ポート２６内の処理流体流通路７６に，逆止弁１１０を設けても良い。この場合，処理流体供給源２５から供給された処理流体が処理流体流通路７６内で処理流体供給源２５側に逆流することを防止でき，安全である。
【００５８】
本実施の形態においては，アダプタ１８を送気・送液ポート１６に取り付ける場合を説明したが，アダプタ１８は，処理流体供給路１０を具備しない通常のポートに取り付けることも可能である。図７に示す送気・送液ポート１１５は，処理流体供給路１０を具備しない点を除けば，本実施の形態において説明した送気・送液ポート１６と同様の構成を有している。このような送気・送液ポート１１５にアダプタ１８を取り付ける場合は，パッキン５２に代えて，図８に示すような，３個の孔５３，５４，５５が設けられたパッキン１１６を用いれば良い。このパッキン１１６の各孔５３，５４，５５内に，洗浄液供給路８の基端，エア供給路９の基端，加圧エア送気路２２の先端をそれぞれ嵌合させ，パッキン１１６を送気・送液ポート１６の接続面４１に備えると，アダプタ本体６０の接続面４２に形成された処理流体流通路７６の開口がパッキン１１６によって閉塞される。従って，アダプタ本体６０の接続面４２と送気・送液ポート１６の接続面４１との間を，確実に密閉することができる。また，処理流体送液チューブ２７をアダプタ１８に取り付けた状態でも，処理流体が処理流体流通路７６から漏出するおそれが無いので，アダプタ１８から処理流体送液チューブ２７を取り外す作業を省略することができる。このように，アダプタ１８は，パッキンを交換するだけで，処理流体供給路１０を具備しない通常の送気・送液ポート１１５に取り付けることも可能であり，内視鏡の送気・送液ポートの構造に応じて洗浄流体送液チューブ１７を他のアダプタに付け替えたり，処理流体送液チューブ２７をアダプタ１８から取り外したりする面倒な作業をする必要が無く，便利である。
【００５９】
アダプタ本体６０の接続面４２には，エア流通路７５Ａの開口から外側に向かって延びるように連通溝を形成して，アダプタ１８を送気・送液ポート１６に取り付けた際に，連通溝と送気・送液ポート１６の接続面４１との間に空間が形成されるようにしても良い。そうすれば，送気・送液ポート１６において，加圧エア送気路２２の先端がエア流通路７５Ａの開口に対向する位置からずれた位置に配置されていても，連通溝に対向する位置に配置されれば，連通溝と接続面４１の間の空間を介して，加圧エア送気路２２とエア流通路７５Ａを連通させることができる。従って，加圧エア送気路２２の先端の配置が異なる送気・送液ポートに使用することができ，互換性が良好になる。また，アダプタ本体６０の接続面４２に，エア流通路７５Ｂの開口から外側に向かって延びるように連通溝を形成して，アダプタ１８を送気・送液ポート１６に取り付けた際に，連通溝と送気・送液ポート１６の接続面４１との間に空間が形成されるようにしても良い。そうすれば，送気・送液ポート１６において，エア供給路９の基端がエア流通路７５Ｂの開口に対向する位置からずれた位置に配置されていても，連通溝に対向する位置に配置されれば，連通溝と接続面４１の間の空間を介して，エア供給路９とエア流通路７５Ｂを互いに連通させることができる。従って，エア供給路９の基端の配置が異なる送気・送液ポートに使用することができ，互換性が良好になる。
【００６０】
さらに，エア流通路７５Ａの開口からエア流通路７５Ｂの開口に渡って連通溝を形成するようにしても良い。このようにすると，連通溝と接続面４１の間の空間を介して，加圧エア送気路２２，エア供給路９及びエア流通路７５Ａ，７５Ｂを互いに連通させることができる。従って，加圧エア送気路２２からエア流通路７５Ａ，７５Ｂやエア供給路９にエアを流通させることができる。なお，連通溝に開口させるエア流通路の個数は２個に限定されず，１個又は３個以上であっても良い。
【００６１】
図９は，接続面４２に形成された連通溝の一例を示しており，アダプタ１１７を接続面４２側からみた状態を示している。図１０は，図９に示したアダプタ１１７のＢ−Ｂ線による断面を示している。図９に示すように，アダプタ１１７の接続面４２には，中央部に洗浄液流通路７１が開口されていると共に，洗浄液流通路７１の開口の周囲を囲むように，連通溝１１８が略Ｃ字形状に形成されている。エア流通路７５Ａ，７５Ｂは，それぞれ連通溝１１８の端部に開口している。即ち，連通溝１１８は，エア流通路７５Ａの開口とエア流通路７５Ｂの開口との間に渡って形成されている。処理流体流通路７６は，連通溝１１８が形成されていない位置，即ち，連通溝１１８の両端部同士の間に開口している。エア流通路７５Ａの開口と処理流体流通路７６の開口との間の中心角（洗浄液流通路７１の開口を中心とした中心角），及び，処理流体流通路７６の開口とエア流通路７５Ｂの開口との間の中心角は，それぞれ約６０°になっている。
【００６２】
図１１，図１２及び図１３は，送気・送液ポートにおける加圧エア送気路２２の先端，エア供給路９の基端，及び，処理流体供給路１０の基端の配置例を示している。図１１に示すように，第１例の送気・送液ポート１６には，加圧エア送気路２２の開口，エア供給路９の開口，処理流体供給路１０の開口が，洗浄液供給路８の開口の周囲に配置されている。加圧エア送気路２２の開口とエア供給路９の開口との間の中心角（洗浄液供給路８の開口を中心とした中心角），エア供給路９の開口と処理流体供給路１０の開口との間の中心角，及び，処理流体供給路１０の開口と加圧エア送気路２２の開口との間の中心角は，それぞれ約１２０°になっている。図１２に示す第２例の送気・送液ポート１１５は，処理流体供給路１０を具備しない点を除けば，第１例の送気・送液ポート１６と同様のものである。図１３に示す第３例の送気・送液ポート１１５’は，加圧エア送気路２２の開口，エア供給路９の開口が配置されている点は図１２に示す第２例の送気・送液ポート１１５と同様であるが，加圧エア送気路２２の開口とエア供給路９の開口が，洗浄液供給路８の開口を中心として対称な位置に配置されている点が異なる。
【００６３】
アダプタ１１７を第１例の送気・送液ポート１６に取り付けると，図１４に示すように，処理流体供給路１０の開口は，処理流体流通路７６の開口に連通され，加圧エア送気路２２とエア供給路９の各開口に対向する位置には，エア流通路７５Ａ，７５Ｂの間に形成された連通溝１１８が配置される。従って，連通溝１１８を介して加圧エア送気路２２，エア供給路９，エア流通路７５Ａ，７５Ｂが互いに連通した状態になる。加圧エア送気路２２から供給されたエアは，連通溝１１８を介してエア流通路７５Ａ，７５Ｂ及びエア供給路９に供給されるようになる。また，アダプタ１１７を第２例の送気・送液ポート１１５に取り付けると，図１５に示すように，送気・送液ポート１１５の加圧エア送気路２２とエア供給路９の各開口に対向する位置には，送気・送液ポート１６の場合と同様に，連通溝１１８が配置される。アダプタ１１７を第３例の送気・送液ポート１１５’に取り付けると，図１６に示すように，送気・送液ポート１１５’の加圧エア送気路２２の開口に対向する位置には連通溝１１８が配置され，エア供給路９の開口に対向する位置に，エア流通路７５Ｂの開口が配置される。
【００６４】
このように，アダプタ１１７は，エア供給路９や加圧エア送気路２２の配置がそれぞれ異なる送気・送液ポート１６，１１５，１１５’に取り付けても，連通溝１１８を介して加圧エア送気路２２，エア供給路９，エア流通路７５Ａ，７５Ｂを互いに連通させることができる。従って，アダプタ１１７は，様々な送気・送液ポートに使用することができ，互換性が良好である。
【００６５】
また，アダプタ１１７は，処理流体供給用ポート２６を図１５及び図１６に示した向きとは反対側に向けた状態で，送気・送液ポート１１５，１１５’に取り付けて使用することもできる。即ち，図９に示すように，アダプタ１１７のアダプタ固定部材６３において，２個の溝９１Ａ，９１Ｂは，接続面４２の中央部を挟んで互いに反対側の位置に対称に設けられており，図１２及び図１３に示すように，送気・送液ポート１１５，１１５’においては，２個の突起９２Ａ，９２Ｂが，接続面４１の中央部を挟んで互いに反対側の位置に対称に設けられており，溝９１Ａと突起９２Ａを連結させ溝９１Ｂと突起９２Ｂを連結させた状態（正姿勢）のほか，溝９１Ａと突起９２Ｂを連結させ溝９１Ｂと突起９２Ａを連結させた状態（逆姿勢）でも取り付けることができる構成になっている。
【００６６】
アダプタ１１７を第２例の送気・送液ポート１１５に正姿勢で取り付けた場合は，図１５に示すように，処理流体流通路７６の開口と加圧エア送気路２２の開口との間，及び，処理流体流通路７６の開口とエア供給路９の開口との間の中心角は，それぞれ約１２０°になる。一方，アダプタ１１７を第２例の送気・送液ポート１１５に逆姿勢で取り付けた場合は，図１７に示すように，処理流体流通路７６の開口と加圧エア送気路２２の開口との間の中心角，及び，処理流体流通路７６の開口とエア供給路９の開口との間の中心角は，それぞれ約６０°になる。そして，送気・送液ポート１１５の加圧エア送気路２２に対向する位置に，エア流通路７５Ｂの開口が配置され，エア供給路９の開口に対向する位置に，エア流通路７５Ａの開口がそれぞれ配置される。従って，逆姿勢の場合も，連通溝１１８を介して加圧エア送気路２２，エア供給路９，エア流通路７５Ａ，７５Ｂが互いに連通した状態になる。
【００６７】
また，アダプタ１１７を第３例の送気・送液ポート１１５’に正姿勢で取り付けた場合は，図１６に示すように，処理流体流通路７６の開口と加圧エア送気路２２の開口との間の中心角は約１２０°になり，処理流体流通路７６の開口とエア供給路９の開口との間の中心角は約６０°になる。一方，アダプタ１１７を第３例の送気・送液ポート１１５’に逆姿勢で取り付けた場合は，図１８に示すように，処理流体流通路７６の開口と加圧エア送気路２２の開口との間の中心角は約６０°になり，処理流体流通路７６の開口とエア供給路９の開口との間の中心角は約１２０°になる。そして，送気・送液ポート１１５’の加圧エア送気路２２の開口に対向する位置にはエア流通路７５Ｂの開口が配置され，エア供給路９の開口に対向する位置には連通溝１１８が配置される。従って，逆姿勢の場合も，連通溝１１８を介して加圧エア送気路２２，エア供給路９，エア流通路７５Ａ，７５Ｂが互いに連通した状態になる。
【００６８】
このように，送気・送液ポート１１５，１１５’においては，アダプタ１１７を逆姿勢にした状態でも，加圧エア送気路２２，エア供給路９，エア流通路７５Ａ，７５Ｂを正常に連通させることができる。従って，送気・送液ポート１１５，１１５’にアダプタ１１７を取り付けるときに，処理流体供給用ポート２６の向きを確認する必要はなく，アダプタ固定部材６３の溝９１Ａ，９１Ｂと送気・送液ポート１１５，１１５’の突起９２Ａ，９２Ｂを互いに連結するだけで良いので，アダプタ１１７の向きを確認する手間が省け，取り付けが容易になる。
【００６９】
図１９に示すように，第１例の送気・送液ポート１６において，処理流体供給路１０の基端は，接続面４１であるパッキン５２の表面から突出するようにして，処理流体供給路１０の基端が処理流体流通路７６の開口に挿入されて連通する構成としても良い。さらに，前述したアダプタ１１７の連通溝１１８と送気・送液ポート１６の接続面４１との間に形成された空間の高さは，処理流体供給路１０における接続面４１から突出させた部分の高さより低いことが好ましい。この場合，アダプタ１１７を図１４に示した第１例の送気・送液ポート１６に取り付ける際に，アダプタ１１７を逆姿勢で取り付けようとすると，処理流体供給路１０の基端に連通溝１１８が当接するので，パッキン５２とアダプタ１１７の接続面４２とを接触させることができない。従って，第１例の送気・送液ポート１６にはアダプタ１１７を正姿勢でのみ取り付けることが可能な構成にすることができる。これにより，アダプタ１１７の取り付け間違いを防止して，処理流体供給路１０と処理流体流通路７６とを確実に連通させることができる。
【００７０】
図２０に示すように，処理流体供給路１０の途中に，処理流体供給路１０を外部に連通させる開口部１２０を備えるようにしても良い。図２０において，開口部１２０は，操作部３の外面に開口している。処理流体供給路１０は，開口部１２０より上流側の供給路１０ａと，開口部１２０より下流側の供給路１０ｂとによって構成されており，開口部１２０の内面には，供給路１０ａの下流端と供給路１０ｂの上流端とが開口している。また，操作部３の外面に形成された開口部１２０の開口を塞ぐ栓１２１が備えられている。栓１２１を開口部１２０に取り付けた状態では，栓１２１と供給路１０ａの下流端の間，及び，栓１２１と供給路１０ｂの上流端の間に，それぞれ隙間が形成され，供給路１０ａから供給路１０ｂに処理流体が流通できるようになっている。一方，栓１２１を開口部１２０から取り外すと，開口部１２０にシリンジ等を挿入して，供給路１０ｂに所望の液体を注入することができる。かかる管路構造を有する内視鏡１において，処理流体を処理流体供給源２５から送液するときは，開口部１２０を栓１２１によって塞ぎ，供給路１０ａから供給路１０ｂに処理流体を送液する。一方，内視鏡を使用している術者が必要と判断した場合などには，栓１２１を取り外して開口部１２０にシリンジ等を挿入して，必要な量だけ所望の圧力で処理流体を供給路１０ｂに送液して，挿入部２の先端部の処理流体供給口から体腔内に供給することができる。また，処理流体供給路１０を洗浄するときは，栓１２１を開口部１２０から取り外して，給路１１ａ，供給路１０ｂにそれぞれブラシ等の器具を挿入して洗浄することができる。この場合，処理流体供給路１０に開口部１２０が設けられていない場合と比較して，ブラシ等の器具を挿入しやすくなるので，処理流体供給路１０内の洗浄を容易かつ確実に行うことができる。
【００７１】
なお，供給路１０ａの途中に，逆止弁１２２を設けても良い。この場合，開口部１２０に挿入したシリンジ等から供給路１０ｂに処理流体を注入する際，注入された処理流体が開口部１２０から供給路１０ａ内に逆流することを防止できる。
【００７２】
開口部は，図２１に示すように，内面をテーパ状にした形状としても良い。図２１において，開口部１３１は，操作部３の外面から内部に向かうほど断面の径が小さくなるように形成されている。一方，開口部１３１に挿入するシリンジ１３２の先端部１３３は，先端に向かうほど径が小さくなる略円錐状の形状に形成されている。また，開口部１３１にシリンジ１３２の先端部１３３を挿入すると，開口部１３１の内面に先端部１３３の外面が密着するようになっている。上流側の供給路１０ａは，開口部１３１のテーパ状の内面に開口しており，下流側の供給路１０ｂは，開口部１３１の先端に開口している。即ち，開口部１３１にシリンジ１３２の先端部１３３を挿入すると，先端部１３３の外面によって供給路１０ａが閉塞されるようになっている。先端部１３３から注入される処理流体は，開口部１３１の先端部分から供給路１０ｂに流入して，挿入部２の先端部の処理流体供給口から体腔内に噴射される。一方，供給路１０ａは先端部１３３によって閉塞されるので，先端部１３３から注入される処理流体が，供給路１０ａに流入することを防止できる。
【００７３】
開口部には，図２２に示すような切換機構１４０を設けても良い。図２２に示す開口部１４１において，上流側の供給路１０ａは開口部１４１の底面に開口しており，下流側の供給路１０ｂは開口部１４１の内側面に開口している。切換機構１４０は，開口部１４１の開口端部の周縁部に固定された固定部材１４２と，固定部材１４２に形成された孔１４３に挿入された移動部材１４５を備えている。開口部１４１の外側において，固定部材１４２の孔１４３の外側に形成された溝１４７と，移動部材１４５の端部に形成された鍔１４８との間には，バネ１５０が備えられている。移動部材１４５の先端は，固定部材１４２の孔１４３を通じて開口部１４１内に挿入されている。また，移動部材１４５には，処理流体の供給孔１５１が形成されている。供給孔１５１は，鍔１４８が形成された外側の端部から，開口部１４１内に挿入された先端側に向かって延びるように，移動部材１４５の中央部に形成されており，さらに，移動部材１４５の先端付近において分岐し，それぞれ移動部材１４５の半径方向に向かって曲がり，移動部材１４５の外側面に開口するように形成されている。移動部材１４５の先端部外側面において，供給孔１５１の開口より先端側には，移動部材１４５の外側面と開口部１４１の内側面との間を密閉する環状のシール部材１５２が取り付けられている。また，移動部材１４５の外側面において，供給孔１５１の開口と鍔１４８との間には，突起１５３が形成されている。突起１５３は，固定部材１４２の孔１４３よりも内方に配置され，孔１４３より外周に突出するように形成されている。
【００７４】
かかる切換機構１４０は，通常の使用状態では，図２２に示すように，移動部材１４５の鍔１４８がバネ１５０の弾性力によって開口部１４１の外側に向かって押され，また，突起１５３が固定部材１４２の孔１４３の周囲に当接した状態で，移動部材１４５が支持されている。このとき，移動部材１４５の先端部及びシール部材１５２は，供給路１０ｂの開口よりも開口部１４１の開口端側に位置しており，移動部材１４５の先端面と開口部１４１の底面との間には隙間が形成されている。従って，供給路１０ａから送液された処理流体は，移動部材１４５の先端面と開口部１４１の底面との間を通じて，供給路１０ｂに流入するようになっている。なお，供給孔１５１と供給路１０ｂとの間にはシール部材１５２が設けられているので，供給路１０ａからの処理流体が供給孔１５１に流入しないようになっている。一方，図２３に示すように，移動部材１４５の供給孔１５１にシリンジ１５６の先端部１５７を挿入しながら，シリンジ１５６によって移動部材１４５を押すと，バネ１５０が鍔１４８によって押されて収縮し，移動部材１４５が開口部１４１の内部に向かって移動する。そして，移動部材１４５の先端面を開口部１４１の底面に当接させると，移動部材１４５の先端面によって供給路１０ａの開口が閉塞された状態になる。このとき，シール部材１５２は，供給路１０ｂの開口よりも開口部１４１の底面側に配置される。従って，シリンジ１５６の先端部１５７から処理流体を供給すると，シリンジ１５６から供給された処理流体は，供給孔１５１を通じて，移動部材１４５の外側面と開口部１４１の内側面との間に流出して，供給路１０ｂに流入することとなる。供給路１０ａの開口は移動部材１４５の先端面によって閉塞されているので，シリンジ１５６から供給された処理流体が供給路１０ａ内に流入することを防止できる。このように，切換機構１４０によれば，シリンジ１５６によって移動部材１４５を押すことにより，開口部１４１からシリンジ１５６によって処理流体を供給する状態と，処理流体供給源２５から供給路１０ａを通じて処理流体を供給する状態とを，簡単に切り換えることができる。また，開口部１４１に対して栓を取り外したり装着したりするといった手間がかからないので，作業性が良く，便利である。
【図面の簡単な説明】
【００７５】
【図１】内視鏡の概略構成を説明する説明図である。
【図２】送気・送液ポート，アダプタ，及び，処理流体送液チューブの構成を示す概略縦断面図である。
【図３】図２におけるＡ−Ａ線による横断面図である。
【図４】パッキンの平面図である。
【図５】アダプタ固定部材を送気・送液ポートに接続する方法を説明する説明図である。
【図６】処理流体流通路に逆止弁を設けた実施形態にかかる，送気・送液ポート，アダプタ，及び，処理流体送液チューブの構成を示す概略縦断面図である。
【図７】処理流体供給路を具備しない送気・送液ポートにアダプタを備えた状態を示す概略縦断面図である。
【図８】処理流体供給路を具備しない送気・送液ポートにアダプタを備える場合に使用するパッキンの平面図である。
【図９】アダプタの接触面に溝を形成した実施形態にかかる，接触面を示す説明図である。
【図１０】図９に示すＢ−Ｂ線によるアダプタの概略縦断面図である。
【図１１】送気・送液ポートの第１の例を示す平面図である。
【図１２】送気・送液ポートの第２の例を示す平面図である。
【図１３】送気・送液ポートの第３の例を示す平面図である。
【図１４】第１例の送気・送液ポートにアダプタを備えた場合の各開口の位置関係を説明する説明図である。
【図１５】第２例の送気・送液ポートにアダプタを備えた場合の各開口の位置関係を説明する説明図である。
【図１６】第３例の送気・送液ポートにアダプタを備えた場合の各開口の位置関係を説明する説明図である。
【図１７】第２例の送気・送液ポートにアダプタを逆向きで備えた場合の各開口の位置関係を説明する説明図である。
【図１８】第３例の送気・送液ポートにアダプタを逆向きで備えた場合の各開口の位置関係を説明する説明図である。
【図１９】処理流体供給路をパッキンから突出させた実施形態を示す概略縦断面図である。
【図２０】処理流体供給路に開口部を備えた実施形態にかかる，開口部の構成を説明する説明図である。
【図２１】別の実施形態にかかる開口部の構成を説明する説明図である。
【図２２】開口部に切換機構を備えた構成を説明する説明図である。
【図２３】開口部に備えた切換機構にシリンジを挿入した状態を説明する説明図である。
【符号の説明】
【００７６】
１      内視鏡
５      コネクタ部
７      洗浄流体供給路
８      洗浄液供給路
９      エア供給路
１０    処理流体供給路
１５    洗浄液タンク
１６    送気・送液ポート
１７    洗浄流体送液チューブ
１８    アダプタ
２５    処理流体供給源
２７    処理流体送液チューブ
３０    電気ポート
３１    吸引ポート
３２    高周波ポート
３５    ＬＧポート
４２    接続面
５２    パッキン
７１    洗浄液流通路
７５Ａ，７５Ｂ    エア流通路
７６    処理流体流通路
【図１】
2006042874.tif 000003
【図２】
2006042874.tif 000004
【図３】
2006042874.tif 000005
【図４】
2006042874.tif 000006
【図５】
2006042874.tif 000007
【図６】
2006042874.tif 000008
【図７】
2006042874.tif 000009
【図８】
2006042874.tif 000010
【図９】
2006042874.tif 000011
【図１０】
2006042874.tif 000012
【図１１】
2006042874.tif 000013
【図１２】
2006042874.tif 000014
【図１３】
2006042874.tif 000015
【図１４】
2006042874.tif 000016
【図１５】
2006042874.tif 000017
【図１６】
2006042874.tif 000018
【図１７】
2006042874.tif 000019
【図１８】
2006042874.tif 000020
【図１９】
2006042874.tif 000021
【図２０】
2006042874.tif 000022
【図２１】
2006042874.tif 000023
【図２２】
2006042874.tif 000024
【図２３】
2006042874.tif 000025